(57)【要約】      （修正有）【課題】温度センサーで検知した外部機器の温度に応じて、外部機器へ供給する電力を制御するサーモスタット装置を提供する。【解決手段】商用交流電力に基づいて温度センサー６により外部機器の温度を検知するサーモスタット装置１において、回路基板上に、商用交流電力を入力する交流入力部２と、商用交流電力を所定電圧で交流電力に変換して出力する交流出力部３２と、温度センサー６が検知する温度に応じて前記交流出力の出力を制御する制御部５と、予め所定の設定温度に設定する温度設定部７と、前記設定温度と温度センサー６で検知した外部機器の検知温度とを表示する表示部とを備え、制御部５は、温度センサー６で検知する外部機器の検知温度と温度設定部７で設定する設定温度とを比較することにより、前記検知温度が前記設定温度になるまで外部機器に交流電力を供給するように制御することを特徴としている。【選択図】図３
0003147959.tif 000002
【実用新案登録請求の範囲】
【請求項１】
商用交流電力に基づいて温度センサーにより外部機器の温度を検知するサーモスタット装置において、
筐体内の回路基板上に、商用交流電力を入力する交流入力部と、
前記商用交流電力を所定電圧で交流電力に変換して出力する交流出力部と、
前記温度センサーが検知する温度に応じて前記交流出力の出力を制御する制御部と、
予め所定の設定温度に設定する温度設定部と、
前記設定温度と温度センサーで検知した外部機器の検知温度とを表示する表示部とを備え、
前記制御部は、温度センサーで検知する外部機器の検知温度と温度設定部で設定する設定温度とを比較することにより、前記検知温度が前記設定温度になるまで外部機器に交流電力を供給するように制御する
ことを特徴とするサーモスタット装置。
【請求項２】
前記回路基板上に、入力される商用交流電力を所定電圧の直流電力に変換する電力変換回路と、その変換された直流電力を出力する直流出力部とを備え、
前記制御部は、温度センサーで検知した外部機器の検知温度と温度設定部で設定した所定の設定温度と比較して、前記検知温度が前記設定温度になるまで外部機器に前記直流電力を供給するように制御する
ことを特徴とする請求項１に記載のサーモスタット装置。
【考案の詳細な説明】
【技術分野】
【０００１】
本考案は外部機器の温度に応じて電力を外部機器に供給するサーモスタット装置に関する。
【背景技術】
【０００２】
従来、対象物の温度を温度センサーを用いて測定するような電子温度測定装置が知られている。この対象物を所定の温度に加温したい場合には、前記電子温度測定装置で温度を検出した後、新たにヒーターを設けて、このヒーターに電力を供給していた。
【考案の開示】
【考案が解決しようとする課題】
【０００３】
しかしながら、例えば床暖房ユニットなどの温度を測定しながら温度制御を行うと、その床暖房ユニットの測定箇所が広い場合には、各測定箇所を測定する手間と時間を要する問題が生じてしまう。その一方で、温度を測定しながら対象物を所定の温度に保ち、携帯性を有する装置が求められている。
【０００４】
この考案は、上述した問題を解決するためになされたもので、温度センサーで検知した外部機器の温度に応じて、外部機器へ供給する電力を制御するサーモスタット装置を提供することを目的とする。
【課題を解決するための手段】
【０００５】
請求項１に記載の発明は、商用交流電力に基づいて温度センサーにより外部機器の温度を検知するサーモスタット装置において、筐体内の回路基板上に、商用交流電力を入力する交流入力部と、前記商用交流電力を所定電圧で交流電力に変換して出力する交流出力部と、前記温度センサーが検知する温度に応じて前記交流出力の出力を制御する制御部と、予め所定の設定温度に設定する温度設定部と、前記設定温度と温度センサーで検知した外部機器の検知温度とを表示する表示部とを備え、前記制御部は、温度センサーで検知する外部機器の検知温度と温度設定部で設定する設定温度とを比較することにより、前記検知温度が前記設定温度になるまで外部機器に交流電力を供給するように制御することを特徴とする。
【０００６】
請求項２に記載の発明は、前記回路基板上に、入力される商用交流電力を所定電圧の直流電力に変換する電力変換回路と、その変換された直流電力を出力する直流出力部とを備え、前記制御部は、温度センサーで検知した外部機器の検知温度と温度設定部で設定した所定の設定温度と比較して、前記検知温度が前記設定温度になるまで外部機器に前記直流電力を供給するように制御することを特徴とする。
【考案の効果】
【０００７】
この考案によれば、商用交流電力に基づいて温度センサーにより外部機器の温度を検知するサーモスタット装置において、筐体内の回路基板上に、商用交流電力を入力する交流入力部と、前記商用交流電力を所定電圧で交流電力に変換して出力する交流出力部と、前記温度センサーが検知する温度に応じて前記交流出力の出力を制御する制御部と、予め所定の設定温度に設定する温度設定部と、前記設定温度と温度センサーで検知した外部機器の検知温度とを表示する表示部とを備え、前記制御部は、温度センサーで検知する外部機器の検知温度と温度設定部で設定する設定温度とを比較することにより、前記検知温度が前記設定温度になるまで外部機器に交流電力を供給するように制御するので、その外部機器へ交流電力を供給しながらその外部機器の温度を制御することが可能となり、この外部機器を所定の設定温度に保つことが可能となる効果がある。また、これらの機能を全て筐体内の路基板上に装置内にコンパクトに配設しているので、軽量化を実現して携帯性を向上することができる。
【０００８】
また、この考案によれば、前記回路基板上に、入力される商用交流電力を所定電圧の直流電力に変換する電力変換回路と、その変換された直流電力を出力する直流出力部とを備え、前記制御部は、温度センサーで検知した外部機器の検知温度と温度設定部で設定した所定の設定温度と比較して、前記検知温度が前記設定温度になるまで外部機器に前記直流電力を供給するように制御するので、商用交流電力で動作するサーモスタット装置であっても、直流電力で動作する外部機器にも電力を供給しながら、この外部機器の駆動を制御することが可能となる効果がある。
【考案を実施するための最良の形態】
【０００９】
本考案に係るサーモスタット装置は、商用交流電力に基づいて温度センサーにより外部機器の温度を検知するサーモスタット装置において、回路基板上に、商用交流電力を入力する交流入力部と、前記商用交流電力を所定電圧で交流電力に変換して出力する交流出力部と、前記温度センサーが検知する温度に応じて前記交流出力の出力を制御する制御部と、予め所定の設定温度に設定する温度設定部と、前記設定温度と温度センサーで検知した外部機器の検知温度とを表示する表示部とを備え、前記制御部は、温度センサーで検知する外部機器の検知温度と温度設定部で設定する設定温度とを比較することにより、前記検知温度が前記設定温度になるまで外部機器に交流電力を供給するように制御することを特徴としている。
【００１０】
また、本考案に係るサーモスタット装置は、前記回路基板には、入力される商用交流電力を所定電圧の直流電力に変換する電力変換回路と、その変換された直流電力を出力する直流出力部とを備え、前記制御部は、温度センサーで検知した外部機器の検知温度と温度設定部で設定した所定の設定温度と比較して、前記検知温度が前記設定温度になるまで外部機器に前記直流電力を供給するように制御することを特徴としている。
【００１１】
以下、この考案の実施形態の一例を、図面を参照しながら説明する。
【００１２】
図１は本考案のサーモスタット装置を示す全体構成の斜視図である。図２は本考案のサーモスタット装置の要部を示す斜視図である。図３は本考案のサーモスタット装置を示すブロック図である。図４は本考案のサーモスタット装置の使用状態を示す斜視図である。
【００１３】
本実施形態のサーモスタット装置１は、図３に示すように、筐体４２内の回路基板（図示せず）上に以下のような回路を有している。すなわち、商用交流電力を入力する交流入力部２と、商用交流電力を直流電力に変換する電力変換回路３と、商用交流電力を昇圧して所定電圧の交流電力に変換する昇圧回路４と、温度センサー６が検知する温度に応じて交流入力部２や電力変換回路３を制御する制御部５と、温度センサー６と、予め所定の設定温度に設定する温度設定部７と、所定の設定温度を表示するセグメント表示部８と、冷房モードまたは暖房モードに変更する冷暖モード切替え部９を備えている。
【００１４】
また、サーモスタット装置１の前面部１０には、図１に示すように、温度を表示するセグメント表示部８と、設定する温度を調整する上下ボタン部１１と、設定した温度を決定する決定ボタン１２と、冷房モードもしくは暖房モードに切り替える選択ボタン１３を設けている。
【００１５】
そして、サーモスタット装置１の背面部２０には、温度センサー６を接続するセンサー端子部２１，２２と、ＮＣ端子部２３と、Ｆ．Ｇ端子部２４、商用の交流入力部２５，２６と、外部機器に直流電力を供給する直流出力部２７，２８と、ＮＣ端子部２９と、交流電力を供給する交流出力部３０，３１を設けている。
【００１６】
センサー端子部２１，２２には温度センサー６，６を接続し、商用の交流入力部２５，２６にはオス型プラグ部４０を接続し、直流出力部２７，２８には外部機器を接続するメス型プラグ部４１を接続する。
【００１７】
図１中、４３は、後述する冷房モード時に設定温度より検知温度が高い場合に点灯するＬＥＤランプである。４４は、後述する暖房モード時に設定温度より検知温度が低い場合に点灯するＬＥＤランプである。４５は外部機器へ直流電力もしくは交流電力を供給している場合に点灯するＬＥＤランプである。４６は冷房モードまたは暖房モードを示すＬＥＤランプである。４７はＬＥＤランプが点灯状態において、外部機器へ供給する直流電力もしくは交流電力を停止する温度を設定するものである。４８はＬＥＤランプが点灯状態において、外部機器への直流電力もしくは交流電力を供給する温度を設定するものである。
【００１８】
かかる構成によれば、外部機器に交流電力又は直流電力を供給しつつ、この外部機器の駆動を制御することが可能となり、この外部機器を所定の設定温度に保つことが可能となる効果がある。そして、これらの温度調整機能や電力供給機能等を全て筐体４２内の回路基板上にコンパクトに納めるとともに軽量化を実現して携帯性を向上することができる。
【００１９】
次に、本実施形態におけるサーモスタット装置の回路構成について説明する。
【００２０】
図２に示すように、交流入力部２には、外部のコンセントより商用交流電力が入力され、交流入力部２の出力側のうちの一端に電力変換回路３を接続し、他端に商用交流電力を昇圧して所定電圧の交流電力に変換する昇圧回路４を介して交流出力部３２を接続している。この交流出力部３２には、外部機器を接続するための図示しないメス型プラグ部を接続可能としている。
【００２１】
次に、電力変換回路３の出力側のうちの一端に制御部５を接続し、他端に直流出力部３３を接続している。この直流出力部３３には、外部機器を接続するためのメス型プラグ部４１を備えている。
【００２２】
制御部５の出力側には、温度センサー６、セグメント表示部８、温度設定部７、冷暖モード切替え部９をそれぞれ接続している。
【００２３】
制御部５は、交流入力部２を制御する信号ライン３５で接続し、さらに、電力変換回路３を制御する信号ライン３６で接続している。そして、制御部５は、各信号ライン３５，３６を介して、交流入力部２から出力される交流電力または電力変換回路３から出力される直流電力を供給したり停止したりする制御を行うようにしている。
【００２４】
温度センサー６は、検知する外部機器の温度に応じて、所定の電気信号に変えて制御部５へ出力するものである。
【００２５】
温度設定部７は、上下ボタン部１１を操作することにより、所定の設定温度に設定するようにしている。
【００２６】
セグメント表示部８は、上下ボタン部１１を操作することにより決定された所定の設定温度を表示するものである。
【００２７】
冷暖モード切替え部９は、冷房モードもしくは暖房モードに切り替える選択ボタン１３を操作していずれかのモードを選択し、決定ボタン１２を押すことにより、冷房モードもしくは暖房モードに切替え設定するようにしている。ここでの冷房モードとは設定温度より検知温度が高い場合に動作するモードであり、暖房モードは設定温度より検知温度が低い場合に動作するモードである。
【００２８】
次に、サーモスタット装置１における電力供給について説明する。外部のコンセント部５０（図４参照）にオス型プラグ部４０を接続することにより、商用交流電力が交流入力部２に供給される。交流入力部２は電力変換回路３へ商用交流電力を供給し、電力変換回路３は商用交流電力を所定電圧（例えばＤＣ１５０Ｖ）の直流電力に変換し、この直流電力を制御部５および直流出力部３３に供給している。なお、電力変換回路３は、制御部５からの制御信号に応じて、直流電力を直流出力部３３へ供給するものである。
【００２９】
また、交流入力部２は、制御部５からの制御信号に応じて、商用交流電力を昇圧回路４に供給し、昇圧回路４は商用交流電力を所定電圧（例えばＡＣ２５０Ｖ）まで昇圧し、この昇圧された交流電力を交流出力部３２へ供給している。
【００３０】
次に、サーモスタット装置に接続する外部機器について説明する。
【００３１】
外部機器としての床暖房ユニット５１は、直流入力部５２と、床板を温める発熱部５３を備え、この直流入力部５２に発熱部５３を接続している。
【００３２】
床暖房ユニット５１の直流入力部５２のオス型プラグ部５４をサーモスタット装置１の直流出力部３３に接続することにより、床暖房ユニット５１はサーモスタット装置１から直流電力の供給を受けるようにしている。すなわち、床暖房ユニット５１の直流入力部５２に入力された直流電力を発熱部５３へ供給している。
【００３３】
本考案のサーモスタット装置を床暖房ユニットに適用した場合の使用状態について説明する。図４は、本考案のサーモスタット装置の使用状態を示す構成図である。なお、以下の説明は選択ボタン１３で暖房モードとした場合である。
【００３４】
まず、サーモスタット装置１のメス型プラグ部４１に床暖房ユニット５１のオス型プラグ部５４を接続する。
【００３５】
サーモスタット装置１の温度センサー６を床暖房ユニット５１の床板表面５５に接触させて固着している。また、もう一方の温度センサー６をサーモスタット装置１の筐体４２に接触させて固着している。
【００３６】
サーモスタット装置１のオス型プラグ部４０をコンセント部５０に接続して、サーモスタット装置１を駆動可能な状態とする。
【００３７】
そして、床暖房ユニット５１の温度が所定温度以上に上昇すると同床暖房ユニット５１にサーモスタット装置１から電力が供給停止されるようにサーモスタット装置１を次のように設定する。すなわち、切ＬＥＤランプ４７を点灯した状態でサーモスタット装置１の設定温度調整用の上下ボタン部１１を押すことにより、セグメント表示部８に表示する設定温度を変更し、温度設定部７は所定の高い設定温度に設定する。
【００３８】
例えば、切ＬＥＤランプ４７を点灯した状態で温度設定部７を高い設定温度を４５度に設定すると、温度センサー６で検知した温度が４５度に達すると直流電力の供給を停止する。さらに、入ＬＥＤランプを点灯した状態で、サーモスタット装置１の設定温度調整用の上下ボタン部１１を押すことにより、セグメント表示部８に表示する設定温度を変更し、温度設定部７は所定の低い設定温度に設定する。例えば、入ＬＥＤランプ４８を点灯した状態で温度設定部７を低い設定温度を４０度に設定すると、温度センサー６で検知した温度が４０度に低下すると直流電力の供給を開始する。
【００３９】
そして、制御部５は、床暖房ユニット５１の温度を温度センサー６で検知し、この検知温度と所定の設定温度とを比較して、検知温度が低い設定温度に達していない場合には、電力変換回路３から直流出力部３３へ直流電力を供給し続けるように、制御部５は信号ラインを介して電力変換回路３へ供給制御信号を出力する。
【００４０】
すなわち、サーモスタット装置１の制御部５は、検知温度が所定の設定温度の範囲を維持するように床暖房ユニット５１に対して直流電力を供給するように制御している。
【００４１】
そして、サーモスタット装置１の制御部５は、温度センサー６で検知している床暖房ユニット５１の温度が所定の高い設定温度に達した場合には、電力変換回路３から直流出力部３３へ直流電力を供給することを停止するように、制御部５は信号ラインを介して電力変換回路３へ停止制御信号を出力する。電力変換回路３から直流出力部３３への直流電力の供給が停止され、床暖房ユニット５１は、直流入力部５２からの直流電力の供給が停止される。
【００４２】
なお、サーモスタット装置１の制御部５は、温度センサー６で検知している床暖房ユニット５１の検知温度が所定の低い設定温度より低下した場合に、再度、床暖房ユニット５１の温度が温度設定部７で設定した所定の高い設定温度になるまで電力変換回路３へ供給制御信号を出力し、電力変換回路３は直流出力部３３に直流電力を供給し、直流出力部３３に接続された床暖房ユニット５１は、サーモスタット装置１から直流電力の供給を受けるようにしている。
【００４３】
このように、サーモスタット装置１を使用することにより、床暖房ユニット５１の温度状態に応じて、床暖房ユニット５１への供給する直流電力を制御できることが可能となる。床暖房ユニット５１が使用する時間あたりの電力使用量を低減することができる。
【００４４】
また、サーモスタット装置に交流電力で駆動する外部機器を接続した場合について説明する。
【００４５】
このときサーモスタット装置１の制御部５は、温度センサー６で検知した検知温度と、温度設定部７で予め設定した設定温度とを比較して、検知温度が低い設定温度に達していない場合には、交流入力部２へ信号ライン３５を介して供給制御信号を送信し、交流電力を交流出力部へ供給するようにしている。そして、温度センサー６で検知した検知温度が高い設定温度に達した場合には、交流入力部２へ信号ライン３６を介して停止制御信号を送信し、交流電力を交流出力部３２へ供給することを停止するようにしている。
【００４６】
従来、温度調整を行われることなかったような外部機器に対しても、この外部機器のオス型プラグ部をサーモスタット装置１のメス型プラグ部４１に接続し、そして、サーモスタット装置１の温度設定部７で予め所定の設定温度の範囲に設定することで、検知温度に応じて外部機器を駆動させたり停止させたりすることが可能となる効果がある。
【００４７】
なお、外部機器として冷房機器をサーモスタット装置１に接続する場合には、上述した暖房モードを選択ボタンで冷房モードに切り替えて、サーモスタット装置の温度設定部で予め所定の温度に設定することで、冷房機器を温度に応じて駆動停止させ、所定の温度範囲内に維持することが可能となる。
【図面の簡単な説明】
【００４８】
【図１】この考案に係るサーモスタット装置の全体構成を示す斜視図である。
【図２】この考案に係るサーモスタット装置の要部を示す斜視図である。
【図３】この考案に係るサーモスタット装置の全体構成を示すブロック図である。
【図４】この考案に係るサーモスタット装置の使用状態を示す斜視図である。
【符号の説明】
【００４９】
１  サーモスタット装置
２  交流入力部
３  電力変換回路
４  昇圧回路
５  制御部
６  温度センサー
７  温度設定部
８  セグメント表示部
９  冷暖モード切替え部
１１  上下ボタン部
１２  決定ボタン
１３  選択ボタン
【図１】
0003147959.tif 000003
【図２】
0003147959.tif 000004
【図３】
0003147959.tif 000005
【図４】
0003147959.tif 000006